(57)【特許請求の範囲】
【請求項１】
床スラブ上に配置され、弾性変形可能であって振動を減衰させる第１弾性部材と、
前記第１弾性部材上に支持され、前記第１弾性部材と反対側へ延びて床材を支持する支持部材と、
前記第１弾性部材又は前記支持部材に支持され、弾性変形可能であって振動を減衰させる第２弾性部材と、
水平方向の断面が円形とされ、下面に前記第２弾性部材を収納する凹部が構成されると共に前記第２弾性部材に支持され、前記第２弾性部材の弾性変形によって変位して振動を減衰させる質量体と、
を備えた床支持具。
【請求項２】
前記凹部は、前記質量体の中心軸と同軸の円柱状に構成されていること、を特徴とする請求項１記載の床支持具。
【請求項３】
前記支持部材は、前記質量体の中心軸に沿って配置されていること、を特徴とする請求項１又は請求項２に記載の床支持具。
【請求項４】
床スラブと、
前記床スラブ上に配置された請求項１〜３のいずれか１項に記載の床支持具と、
を備えた床構造。
【発明の詳細な説明】
【技術分野】
【０００１】
本発明は、支持部材を介して二重床とされた床構造、及び二重床の床材を支持する床支持具に関する。
【背景技術】
【０００２】
床構造においては、床衝撃音の遮断性能を向上させるために、支持部材を介して床基盤上から所定の高さに床を設ける二重床構造とする場合がある。このような二重床構造では、例えば、特許文献１に記載のように、弾性体と質量体を用いて床からの振動を減衰させる技術が開示されている。
【０００３】
特許文献１に記載の床構造によれば、床からの振動を効果的に減衰させることができるが、特許文献１に記載された床構造を採用した場合、図２に示す構造では床支持具の高さが高くなってしまう。また、図１０に示す構造では、質量体の水平方向の干渉範囲が広くなってしまう。
【特許文献１】特開２００７−０４００９３号公報
【発明の開示】
【発明が解決しようとする課題】
【０００４】
本発明は、上記事実を考慮して、床衝撃音の遮断性能が良好で、高さの低い床下にも施工でき、さらに、同一質量の質量体を用いて水平方向の干渉範囲を狭くすることの可能な床支持具及び床構造を提供することを課題とする。
【課題を解決するための手段】
【０００５】
請求項１に記載する本発明の床支持具は、床スラブ上に配置され、弾性変形可能であって振動を減衰させる第１弾性部材と、前記第１弾性部材上に支持され、前記第１弾性部材と反対側へ延びて床材を支持する支持部材と、前記第１弾性部材又は前記支持部材に支持され、弾性変形可能であって振動を減衰させる第２弾性部材と、水平方向の断面が円形とされ、下面に前記第２弾性部材を収納する凹部が構成されると共に前記第２弾性部材に支持され、前記第２弾性部材の弾性変形によって変位して振動を減衰させる質量体と、を備えている。
【０００６】
請求項１に記載する床支持具によれば、床材に振動が加わった場合、この振動は、第２弾性部材へ伝わる。これによって、第２弾性部材が弾性変形して質量体が振動を吸収するように上下動することで、床材から床スラブへの振動を減衰する。減衰された振動は、さらに第１弾性部材によって減衰されて床スラブへ伝わるので、床衝撃音が良好に遮断される。
【０００７】
また、質量体の下面に凹部が構成され、この凹部に第２弾性体が収納されているので、第２弾性体の厚みが凹部によって吸収され、床支持具の高さを低くすることができる。
【０００８】
また、質量体の水平方向の断面が円形とされているので、同一質量で他の形状の質量体を用いた場合と比較して、水平方向の干渉範囲を狭くすることができる。
【０００９】
請求項２に記載する本発明の床支持具は、前記凹部が、前記質量体の中心軸と同軸の円柱状に構成されていること、を特徴とする。
【００１０】
このように、凹部を構成することにより、バランスのよい質量体とすることができる。
【００１１】
請求項３に記載する本発明の床支持具は、前記支持部材が、前記質量体の中心軸に沿って配置されていること、を特徴とする。
【００１２】
このように、支持部材を質量体の中心軸に沿って配置することにより、振動に対してバランスのよい構成とすることができる。
【００１３】
請求項４に記載する床構造は、床スラブと、前記床スラブ上に配置された請求項１〜３のいずれか１項に記載の床支持具と、を備えている。
【００１４】
請求項４の床構造によれば、質量体の下面に凹部が構成され、この凹部に第２弾性体が収納されているので、第２弾性体の厚みが凹部によって吸収され、床支持具の高さを低くすることができる。また、質量体の水平方向の断面が円形とされているので、同一質量のものを用いた場合に、水平方向の干渉範囲を狭くすることができる。
【発明の効果】
【００１５】
以上説明したように、本発明の床支持具及び床構造によれば、床衝撃音の遮断性能が良好で、高さの低い床下にも施工でき、さらに、同一質量の質量体を用いて水平方向の干渉範囲を狭くすることができる。
【発明を実施するための最良の形態】
【００１６】
本発明における床支持具、及び、この床支持具が適用される床構造の実施形態を図面に基づき説明する。なお、図中の矢印ＵＰは床構造における上方向を示す。
【００１７】
図１に示される床構造１０は、主に集合住宅に用いられる二重床（乾式遮音二重床）の構造であり、上階で発せられて階下に伝播する床衝撃音（歩行音、物の落下音、子供の飛び跳ね等）を低減させるための構造である。
【００１８】
（床構造及び床支持具の構成）
【００１９】
図１に示されるように、床構造１０は、躯体床となるコンクリート製の床スラブ１２と上床材１４との間に、所定の間隔で複数本並べられた床支持具１６を介在させており、床支持具１６の介在によって床スラブ１２と上床材１４との間に空間を形成して遮音効果を得る状態としている。
【００２０】
なお、本実施形態の上床材１４は、下地パネル１４Ａを備えると共に、下地パネル１４Ａ上に捨張材１４Ｂを設け、その上にさらに仕上げ材１４Ｃを設けた積層構造となっている。ここで、仕上げ材１４Ｃを除いた上床材１４（下地パネル１４Ａ及び捨張材１４Ｂ）、及び、床支持具１６が床下地材である。
【００２１】
なお、捨張材１４Ｂは、必ずしも必要ではなく、捨張材１４Ｂを除いた構成とすることもできる。
【００２２】
図２に示されるように、床支持具１６は、第１弾性部材としてのクッションゴム１８、支持部材としての支持ボルト２２、第２弾性部材としてのクッション台座２６、及び質量体４０を備えている。
【００２３】
クッションゴム１８は、床スラブ１２上に配置されている。クッションゴム１８は、円筒状とされており、上床材１４からの振動を減衰させるために、床スラブ１２上に支持されるものであり、弾性変形可能とされる。
【００２４】
クッションゴム１８上には、中間受け部としての中間受け部材２０を介して支持ボルト２２が直立状態で支持されている。中間受け部材２０は、円筒状とされて中間部にフランジ部２０Ａを備え、円筒部の一方側がクッションゴム１８の筒内側に挿入されると共にフランジ部２０Ａの下面（クッションゴム１８側へ向けられた面）がクッションゴム１８の上面（床スラブ１２側の面と反対側の面）に固着されている。中間受け部材２０の円筒部内周面には、雌ネジ部２０Ｂが形成され、この雌ネジ部２０Ｂには、支持ボルト２２の軸部に形成された雄ネジ部２２Ａが螺合される。これにより、中間受け部材２０が支持ボルト２２に一体化される。
【００２５】
下地パネル１４Ａの下側には、下地パネル１４Ａを支持するように、支持パネル１５が配置されている。支持パネル１５は正方形板状とされ、中央部に調整孔１５Ａが構成されている。この調整孔１５Ａに支持ボルト２２の上端部が配置される。
【００２６】
支持ボルト２２は、クッションゴム１８と反対側、すなわち、床スラブ１２と反対方向へ延びて、パネル受け部材２４及び支持パネル１５を介して上床材１４を支持するようになっている。パネル受け部材２４は、円筒状の円筒部２４Ｂと、円筒部２４Ｂの一方の開口部から外側へ向けて突き出した鍔部２４Ａを備える。パネル受け部材２４の円筒部２４Ｂは、支持パネル１５の調整孔１５Ａ内に挿入されて固着され、鍔部２４Ａの上面（上床材１４側へ向けられた面）が支持パネル１５の下面（床スラブ１２と対向する側の面）に固着される。パネル受け部材２４の円筒部内周面には、雌ネジ部２４Ｃが形成され、この雌ネジ部２４Ｃには、支持ボルト２２の軸部に形成された雄ネジ部２２Ｂが螺合される。これらにより、上床材１４は、床スラブ１２との間に間隔をもって配置される。
【００２７】
支持ボルト２２の先端部には、マイナスドライバを差し込むための凹部２２Ｍが形成されており、上床材１４の下地パネル１４Ａに捨張材１４Ｂ、仕上げ材１４Ｃが載せられる前の状態において、マイナスドライバを支持ボルト２２の凹部２２Ｍに差し込んで支持ボルト２２を回転させることによって、床スラブ１２からの下地パネル１４Ａの高さを調節することができるようになっている。
【００２８】
中間受け部材２０のフランジ部２０Ａの上面である受け面２０Ｃには、クッション台座２６が接着されている。すなわち、クッション台座２６の下面が受け面２０Ｃに固着されている。クッション台座２６と中間受け部材２０との接着は、加硫接着によって行うことができる。クッション台座２６は、円筒状とされて中央に挿入孔２６Ａが形成されており、この挿入孔２６Ａに支持ボルト２２が挿入された状態となっている。クッション台座２６の設置状態での上部中央には、薄肉筒状で上方へ突出した突出部２６Ｃとされている。突出部２６Ｃの内径は、クッション台座２６の下部における内径と同様となっている。クッション台座２６は、上床材１４からの振動を減衰させるために、中間受け部材２０を介して支持ボルト２２に支持されるものであり、軟質ゴムで構成されて弾性変形可能とされる。
【００２９】
突出部２６Ｃの外周には、筒状の取付金具３８が配置されている。取付金具３８は、円筒状の筒部３８Ｂ、及び、設置状態における筒部３８Ｂの下側に配置され、径方向外側へ延びるフランジ部３８Ａを備えている。フランジ部３８Ａは、クッション台座２６の上向き面２６Ｄの上に配置され、クッション台座２６の上向き面２６Ｄ及び突出部２６Ｃの外側は、取付金具３８と加硫接着されている。筒部３８Ｂの外周部には、雄ネジ３８Ｃが形成されている。
【００３０】
図４に示すように、質量体４０は円柱形状で、設置状態での下面４０Ａの中央部に凹部４２が構成されている。凹部４２は、質量体４０の中心軸と同軸の円柱状として構成されている。凹部４２の径Ｄ１は、クッション台座２６及びクッションゴム１８の上側よりも大径とされており、深さＤ２は、クッション台座２６の突出部２６Ｃを除いた高さよりも長く構成されている。
【００３１】
質量体４０には、凹部４２の中央部から質量体４０の上面４０Ａ側にかけて、支持孔４２Ａが構成されている。支持孔４２Ａの内側には、雌ネジが構成されており、取付金具３８の雄ネジ３８Ｃと螺合される。これにより、質量体４０がクッション台座２６上に支持され、質量体４０によって、クッション台座２６には、圧縮方向の荷重が作用している。
【００３２】
上記の設置状態において、クッション台座２６は、凹部４２内に収納されており、質量体４０の下面４０Ａは、凹部４２がクッションゴム１８の側面の一部を覆う位置に配置されている。これにより、クッション台座２６は質量体４０に覆われ、床下に生息する小動物により損傷を受けることを防止することができる。
【００３３】
質量体４０は、クッション台座２６の弾性変形によって変位して上床材１４からの振動を減衰させるようになっており、クッション台座２６及び質量体４０は、上床材１４から床スラブ１２への振動に対して動吸振器として機能する。
【００３４】
（本実施形態の施工手順）
【００３５】
次に、図２に示される床支持具１６を用いて二重床の床構造１０を構成する際の施工手順について説明する。
【００３６】
まず、一体化されたクッションゴム１８、中間受け部材２０、クッション台座２６、及び、取付金具３８を、クッションゴム１８を下にして床スラブ１２上に設置する。
【００３７】
次に、パネル受け部材２４の円筒部２４Ｂを、支持パネル１５の調整孔１５Ａへ圧入し、鍔部２４Ａ上に支持パネル１５を配置して、パネル受け部材２４に支持パネル１５を固着する。
【００３８】
次に、質量体４０の支持孔４２Ａの雌ネジに取付金具３８の雄ネジ３８Ｃを螺合させて、質量体４０を取り付け、クッション台座２６上に質量体４０を支持する。
【００３９】
次に、クッション台座２６の挿入孔２６Ａに支持ボルト２２を上方から挿入し、支持ボルト２２の雄ネジ部２２Ａを中間受け部材２０の雌ネジ部２０Ｂに螺合させて取り付け、直立させる。そして、支持ボルト２２の雄ネジ部２２Ｂにパネル受け部材２４の雌ネジ部２４Ｃを螺合させる。
【００４０】
次に、支持パネル１５上に下地パネル１４Ａを敷設する。ここで、マイナスドライバを支持ボルト２２の凹部２２Ｍに差し込んで支持ボルト２２を回転させることによって、床スラブ１２からの下地パネル１４Ａの高さを調節する。
【００４１】
次に、下地パネル１４Ａ上に捨張材１４Ｂが敷設され、捨張材１４Ｂ上に仕上げ材１４Ｃが敷設される。このようにして、二重床の床構造１０が構成される。
【００４２】
（作用）
【００４３】
次に、上記の実施形態の作用を説明する。
【００４４】
上階で発せられた床衝撃音（例えば、歩行音等）の振動は、上床材１４からパネル受け部材２４、支持ボルト２２、及び、中間受け部材２０を介してクッション台座２６へ伝わる。これによって、クッション台座２６が弾性変形し、質量体４０が振動を吸収するように上下動することで、振動を減衰する。
【００４５】
ここで、クッション台座２６及び質量体４０は、支持ボルト２２を囲んで配置されているため、支持ボルト２２に沿って弾性変形し、支持ボルト２２に沿って移動することになるので、動吸振の作用が安定する。
【００４６】
また、中間受け部材２０にクッション台座２６が固着され、クッション台座２６に質量体４０が固定されているので、例えば、振動によって質量体４０がクッション台座２６から浮く等のような無駄な移動を抑えられ、また、質量体４０の移動を振動周期に追従させ易くなるので、動吸振効果を高めることができる。
【００４７】
また、質量体４０が円柱形状とされているので、同一質量で他の形状の質量体を用いた場合と比較して、水平方向の干渉範囲を狭くすることができる。
【００４８】
また、質量体４０の下面に凹部４２が構成され、凹部４２にクッション台座２６が収納されているので、クッション台座２６の高さ分、床支持具１６の高さを低くすることができると共に、クッション台座２６を小動物から保護することができる。
【００４９】
なお、本実施形態では、質量体４０を円柱形状とした例について説明したが、質量体は水平方向の断面が円形であれば、他の形状、例えば、図５に示すように、台錐形状の質量体５５とすることもできる。床スラブ１２がコンクリート製であるコンクリート床の場合について説明したが、床スラブは、木製等の他の床スラブであってもよい。
【図面の簡単な説明】
【００５０】
【図１】本実施形態に係る床構造及び床支持具の縦断面を示す断面図である。
【図２】図１の床支持具を拡大した拡大断面図である。
【図３】本実施形態に係る床支持具の斜視図である。
【図４】本実施形態の質量体を下側から見た斜視図である。
【図５】本実施形態の床支持具の変形例を示す断面図である。
【符号の説明】
【００５１】
１０   床構造
１２   床スラブ
１４Ａ 下地パネル
１４   上床材
１６   床支持具
１８   クッションゴム
２２   支持ボルト
２６   クッション台座
３８   取付金具
４０   質量体
４２   凹部
４２Ａ 支持孔
【図１】
0005128970.tif 000002
【図２】
0005128970.tif 000003
【図３】
0005128970.tif 000004
【図４】
0005128970.tif 000005
【図５】
0005128970.tif 000006